(57)【要約】【課題】  小型化等が進むカードコネクタにあって、カードイジェクト機構を用いたカード排出を円滑で安定したものにする。【解決手段】  ベース部材１１とカバー部材１２が重ね合されて成るコネクタハウジング１３にカード収容空間１４、カード挿抜口１５が設けられている。また、カード収容空間１４に固設されたコンタクト１６が配列され、ベース部材１１の右側壁１１ｃに沿う領域にイジェクト機構１７が配置されている。そして、カード収容空間１４を挟んで対向するベース部材１１の左側壁１１ｄに回転体１８が取り付けられている。回転体１８は、右側壁１１ｃに設けたイジェクト機構１７によりカードがカード収容空間１４から排出される際に、カードの側辺に接触し回転することにより、カードと左側壁１１ｄとの摩擦抵抗を低減するように働く。【選択図】  図１
2013125323.tif 000002
【特許請求の範囲】
【請求項１】
排出方向に並行する側辺をもつ平板状のカードを収容するカード収容空間およびそれに連通するカード挿抜口が形成され、前記カード収容空間を囲みかつ前記カードの前記側辺のそれぞれに沿って第１の側壁と前記カード収容空間を挟んで前記第１の側壁に対向する第２の側壁とを有するコネクタハウジングと、前記カード収容空間から前記カード挿抜口に向けて前記カードを排出するよう前記第１の側壁あるいはこの第１の側壁と前記カード収容空間との間に設けられたカードイジェクト機構とを有するカードコネクタにおいて、
前記第１の側壁に対向する前記第２の側壁に配置され前記カードの前記側辺に接触して回転可能にされた回転体を具備し、前記回転体は、前記カードイジェクト機構により前記カードが前記カード収容空間から排出される際に、前記カードの前記側辺と前記第２の側壁との摩擦抵抗を低減するようになっていることを特徴とするカードコネクタ。
【請求項２】
前記回転体は、前記コネクタハウジングの前記第２の側壁に前記回転体を保持するように形成された保持部に嵌合するように取り付けられていることを特徴とする請求項１に記載のカードコネクタ。
【請求項３】
前記回転体は、前記コネクタハウジングの前記第２の側壁において前記カード挿抜口側に取り付けられていることを特徴とする請求項１又は２に記載のカードコネクタ。
【請求項４】
前記回転体は、前記第２の側壁において前記カードの排出方向に沿い少なくとも２箇所に取り付けられていることを特徴とする請求項１又は２に記載のカードコネクタ。
【請求項５】
前記回転体は、前記回転体の外周面が球状であることを特徴とする請求項１乃至４のいずれかに記載のカードコネクタ。
【請求項６】
前記回転体は、円柱状に形成され、前記回転体の上面および下面と、前記回転体の外周面との間には面取り部が形成されていることを特徴とする請求項１乃至４のいずれかに記載のカードコネクタ。
【発明の詳細な説明】
【技術分野】
【０００１】
本発明は、装着されたカードを安定して排出することのできるカードコネクタに関する。
【背景技術】
【０００２】
近年、パソコン、デジタルカメラ、録音機、携帯電話、携帯型オーディオ、ＰＤＡ（Personal Digital Assistance）、各種情報端末機器などの電子機器において、ＩＣカード（以下、単にカードともいう）の利用が増大している。カードには、情報の記録、伝達あるいは処理に用いられるＩＣチップと呼ばれるＩＣ部品が組込まれ、ＰＣカード、ＭＭＣ（Multi Media Card）カード、ＳＤ（Secure Digital）カード、ＳＩＭ（Subscriber Identity Module）カード等がある。あるいは、例えばフラッシュメモリ型の記録媒体のようなハードディスクとして機能するカード類がある。
【０００３】
これ等のカードは上記機器の回路基板等に取り付けられるカードコネクタ（以下、単にコネクタともいう）に装着され使用される。カードコネクタでは、カードのＩＣ部品に接続された電極パッドと電気接続するコンタクトが固設されたカード収容空間、カード収容空間に対するカード挿入あるいはカード排出のためのカード挿抜口等がコネクタハウジングに設けられている。そして、カード収容空間に挿入され装着されたカードをカード挿抜口へ簡便に排出するために、コネクタハウジング内の一側壁に沿う領域に例えばプッシュイン・プッシュアウト式機構のようなイジェクト機構が配置される（例えば、特許文献１参照）。
【先行技術文献】
【特許文献】
【０００４】
【特許文献１】特開２００８−０９１２９８号公報
【発明の概要】
【発明が解決しようとする課題】
【０００５】
ところで、ＩＣの微小化に伴いそれが組込まれるＩＣカードは小型化および薄型化してきている。それに伴いカードコネクタも小型化あるいは薄型化（以下、低背化ともいう）している。このような中で、カードイジェクト機構を用いたカード収容空間からの円滑で安定したカード排出ができなくなる虞が生じてきている。それは、カードイジェクト機構を用いたカード排出において、カードの薄型化あるいは小型化に伴いカードの側辺面がコネクタハウジング内の側壁に摺接し易くなるからである。更に、カードの薄型化と共に、カードを製造する際のカードの個片化において切削等による外形加工が適用されるようになり、切削後のカードの側辺面が粗面化し易くなって、上記摺接における摩擦抵抗が増大するからでもある。
【０００６】
カードの排出においては、カードイジェクト機構はコネクタハウジング内の片側からカードの所定箇所を加圧して、カード挿抜口側に引き出すように作動する。ここで、カードはカード挿抜口方向への力を受ける。それと共に、コネクタハウジング内においてカードイジェクト機構の配置される一側壁の領域にカード収容空間を挟み対向する他側壁への方向に力を受けることは避けられない。また、カードおよびカードコネクタの薄型化あるいは小型化に伴い、それ等の設計寸法に対する形状公差によるガタツキが相対的に増大し、カード排出において、カードの側辺面がカードイジェクト機構配置の一側壁に対向する他側壁と摺接し易くなる。ここで、上述したカード端面の粗面化により摩擦抵抗が増大すると、カードがコネクタハウジングの他側壁に引っ掛かり易くなり、その円滑な排出が難しくなる。
【０００７】
上記カードの引っ掛かりを解決するために、カード摺接の摩擦抵抗に打ち勝つように、カードイジェクト機構においてカード排出の弾性付勢用のバネ部材の弾発力を強くすると、逆にカード端面の摺接による摩擦抵抗が小さい場合においてカードがカード挿抜口からの飛び出すことがある。このカード飛び出しを防止し安定したカード排出にするためには、新たにカード飛び出し防止機構をカード挿抜口に取り付けることが必須になる。しかし、これはカードコネクタの小型化の大きな阻害要因になる。
【０００８】
本発明の目的は、上述の事情に鑑みてなされたもので、小型化および低背化が進むカードコネクタにあって、カードイジェクト機構を用いたカード排出を円滑で安定したものにできるカードコネクタを提供することにある。
【課題を解決するための手段】
【０００９】
本発明の実施形態にかかるカードコネクタは、排出方向に並行する側辺をもつ平板状のカードを収容するカード収容空間およびそれに連通するカード挿抜口が形成され、前記カード収容空間部を囲みかつ前記カードの前記側辺のそれぞれに沿って第１の側壁と前記カード収容空間を挟んで前記第１の側壁に対向する第２の側壁とを有するコネクタハウジングと、前記カード収容空間から前記カード挿抜口に向けて前記カードを排出するよう前記第１の側壁あるいはこの第１の側壁と前記カード収容空間との間に設けられたカードイジェクト機構とを有するカードコネクタにおいて、前記第１の側壁に対向する前記第２の側壁に配置され前記カードの前記側辺に接触して回転可能にされた回転体を具備し、前記回転体は、前記カードイジェクト機構により前記カードが前記カード収容空間から排出される際に、前記カードの前記側辺と前記第２の側壁との摩擦抵抗を低減するようになっている。
【発明の効果】
【００１０】
本発明により、小型化および低背化が進むカードコネクタにあって、カードイジェクト機構を用いたカード排出は簡便な手法でもって円滑で安定したものになる。また、カードコネクタの小型化および低背化が容易である。
【図面の簡単な説明】
【００１１】
【図１】本発明の第１の実施形態にかかるカードコネクタの一例を示す全体斜視図である。
【図２】同上カードコネクタにおける領域Ｐ１の一部拡大図である。
【図３】同上カードコネクタの組み立ての一部の説明に供するための図であり、（ａ）はコネクタ本体を示す斜視図、（ｂ）は（ａ）における領域Ｐ２の一部拡大図である。
【図４】本発明の第１の実施形態にかかるカードコネクタの他例の説明に供する図であり、（ａ）はコネクタ本体を示す斜視図、（ｂ）は（ａ）における領域Ｐ３の一部拡大図である。
【図５】本発明の第１の実施形態にかかるカードコネクタのカード排出動作の説明に供する図であり、（ａ）はカード排出の一過程を示すコネクタ本体の上面図、（ｂ）は（ａ）における領域Ｐ４の一部拡大図である。
【図６】本発明の第２の実施形態にかかるカードコネクタの説明に供するためのコネクタ本体の上面図である。
【発明を実施するための形態】
【００１２】
以下に本発明の好適な実施形態について図面を参照して説明する。図面においては、その要部に符号が付され、互いに同一または類似の部分には共通の符号を付して、重複説明は一部省略される。本明細書におけるカードコネクタの説明では、コネクタ構造を判り易くするため、コネクタに対するカードの挿抜方向を基準にした用語に統一する。例えば、カード前端の挿入方向に用語「前」、カード後端の引き出し方向に用語「後」をそれぞれ付す。また、コネクタのカバー部材が位置する側に用語「上」、ベース部材側に用語「下」を付す。
【００１３】
（第１の実施形態）
本発明の第１の実施形態にかかるカードコネクタについて図１乃至図５を参照して説明する。この実施形態では、イジェクト機構がプッシュイン・プッシュアウト式機構となる場合を例にして説明される。
【００１４】
図５に示すようにカード１００は薄板やシートなどの平板状であり、例えばほぼ矩形などの方形でなり、カード後端１００ｂ、カード前端１００ｃ、カード左側辺１００ｄ、およびカード右側辺１００ｅを有している。カード右側辺１００ｅにはカード前端１００ｃ方向に切欠けが形成され、受圧斜面１００ａが形成されている。カード左側辺１００ｄおよびカード右側辺１００ｅはカード排出方向Ｍ１に並行している。
【００１５】
図１に示すように、カードコネクタ１０では、コネクタ本体となるベース部材１１にカバー部材１２が重ね合され組合わされて、外形が略扁平な直方体となるコネクタハウジング１３が形成される。ここで、ベース部材１１は例えば液晶ポリマーのような熱可塑性樹脂材料から一体成形され、上方開放された底壁１１ａ、前壁１１ｂ、右側壁（第１の側壁）１１ｃおよび左側壁（第２の側壁）１１ｄを有する筐体構造になっている。右側壁１１ｃおよび左側壁１１ｄはそれぞれカード１００の側辺１００ｅおよび１００ｄに沿っており、左側壁１１ｄはカード１００を挟んで右側壁１１ｃに対向している。カバー部材１２は例えばステンレス等の板金カバーのような靱性の金属材料がプレス加工され、天板となる上壁１２ａ、前壁１２ｂ、右側壁１２ｃおよび左側壁１２ｄを有する。ベース部材１１およびカバー部材１２の前記各壁によりカード収容空間１４を囲んでいる。
【００１６】
すなわち、コネクタハウジング１３内に、カード１００の収容されるカード収容空間１４が形成され、このカード収容空間１４はコネクタハウジング１３の開放された後端に設けられたカード挿抜口１５に連通する。また、ベース部材１１の底壁１１ａに固設されている弾性金属条片からなる所要数（図では８個）のコンタクト１６がカード収容空間１４内に配列されている。コンタクト１６は、その接触条片部１６ａがカード収容空間１４に装着されるカード１００の下面に設けられた電極パッドに加圧接触し、その端子部１６ｂが回路基板の配線（図示せず）に接続してカードに組込まれたＩＣに通電する。
【００１７】
ベース部材１１では、カード挿抜口１５からカード収容空間１４をみてコネクタハウジング１３内の右側に位置する右側壁に沿う領域、すなわちベース部材１１の右側壁１１ｃとカード収容空間１４の間に沿ってイジェクト機構１７が配置されている。このイジェクト機構１７は、いわゆるプッシュイン・プッシュアウト式挿抜機構になっている。このイジェクト機構１７については図５を参照したカードコネクタ１０の動作の説明のところで詳述される。
【００１８】
また、ベース部材１１では、カード挿抜口１５からカード収容空間１４をみてコネクタハウジング１３内の左側に位置する左側壁となるベース部材１１の左側壁１１ｄの所定箇所に回転体１８が埋め込まれるように回転可能に取り付けられている。図１では、回転体１８はほぼカード挿抜口１５に対向する位置に配置されている。
【００１９】
すなわち、図２に示すように、例えば円柱状の回転体１８は、ベース部材１１の左側壁１１ｄの後端部に設けられた円筒穴形状の保持部１１１ｄに滑合するように嵌合されている。保持部１１１ｄには、ベース部材１１の左側壁１１ｄの内側面１１２ｄの一部が切り欠きされ開口部１１３ｄが設けられている。この開口部１１３ｄから、回転体１８はその外周面１８１が左側壁１１ｄの内側面１１２ｄよりもカード挿抜口１５側に突き出し露出するようになっている。そして、カード１００のカード左側辺１００ｄが開口部１１３ｄから露出した回転体１８の外周面１８１に当接すると、回転体１８は保持部１１１ｄ内で回転する。通常、回転体１８は、カード収容空間１４からカード挿抜口１５の方向に排出されるカードの排出方向において、コネクタハウジング１３の後端部に取り付けられるとよい。
【００２０】
なお、ベース部材１１の右側壁１１ｃにおける所定箇所に複数の固定突起部１１１ｃが設けられ、カバー部材１２の右側壁１２ｃに設けられた固定穴部１２１ｃに係合するようになっている。この固定突起部１１１ｃと固定穴部１２１ｃは、ベース部材１１の左側壁１１ｄおよびカバー部材１２の左側壁１２ｄにも形成される。このようにして、カバー部材１２はベース部材１１に固く組み合わされるようになる。また、カバー部材１２の右側壁１２ｃに脚部１２２ｃが設けられ、機器の回路基板にハンダ付けされカードコネクタ１０が固定されるようになっている。このような脚部は図示しないがカバー部材１２の左側壁１２ｄにも同様に設けられている。
【００２１】
その他に、カバー部材１２の上壁１２ａには、窓部１２１ａが形成され、この窓部１２１ａを通してカード収容空間１４内が視認でき、コンタクト１６の接触条片部１６ａの状態が容易に検査されるようになっている。また、カバー部材１２の上壁１２ａにはカード押え片１２２ａが設けられ、カード収容空間１４に挿入されるカード１００をその浮き上がりを防止すべく上方から押えるようになっている。更に、上壁１２ａには、詳細は後述されるがイジェクト機構１７を構成しカード挿抜方向に直線往復動するカードプッシュ部材１７ａを上方から押えるプッシュ部材押え片１２３ａが設けられている。同様に、アーム押え片１２４ａが設けられ、イジェクト機構１７を構成する搖動アーム１７ｆを上方から押えその搖動を安定させるようになっている。
【００２２】
次に、図３を参照して、カードコネクタ１０の組み立てにおける上記回転体１８のベース部材１１の左底壁１１ｄへの取り付け方法について、その詳細な構造と共に説明を加える。図３に示すように、ベース部材１１の左側壁１１ｄには、その後端部に回転体１８が嵌合するように保持部１１１ｄが形成されている。ここで、回転体１８は保持部１１１ｄ内での回転の動作に支障を来さない程度の緩さで嵌合する。すなわち、保持部１１１ｄは回転体１８が滑合するようになる。
【００２３】
図３（ｂ）に示すように、円柱状の回転体１８では、その外周面１８１と上面１８２および下面１８３の間には面取り部１８４が形成される。面取り部１８４を形成することで、ベース部材１１の保持部１１１に当接する面積が小さくなり、摩擦抵抗が小さく、回転体の回転はより円滑なものになる。回転体１８は、樹脂などの絶縁体材料、半導体材料あるいは導体材料のいずれの材料から形成されても構わない。ここで、回転体１８の外表面である外周面１８１、上面１８２、下面１８３および面取り部１８４は表面研磨されているのが好ましい。
【００２４】
保持部１１１ｄは、上述したように回転体１８が嵌合しその内部で回転できる構造であり、左側壁１１ｄの上方に開き横断面形状が略円形の有底孔に穿設されている。ここで、保持部１１１ｄの内周面１１４ｄは回転体１８の外周面１８１に対面して接し、保持部１１１ｄの底面１１５ｄは回転体１８の下面１８３に接する。保持部１１１ｄは、その内周面１１１ｄおよび底面１１５ｄの表面粗さが小さくなるように研磨されていると好適である。そして、保持部１１１ｄは左側壁１１ｄの内側面１１２ｄにおいて開口部１１３ｄでカード挿抜口１５側に開放されるようになっている。上述したように、この開口部１１３ｄから、回転体１８の外周面１８１が左側壁１１ｄの内側面よりもカード挿抜口１５側に突き出るようにして露出する。
【００２５】
上記回転体１８は、カードコネクタ１０の組み立ての最終段階において、保持部１１１ｄにその上方から挿入される。その後、コネクタ本体のベース部材１１にカバー部材１２が重ね合され組合わされて図１および図２で説明したようなカードコネクタ１０が出来上がる。ここで、回転体１８はその上面１８２がカバー部材１２の上壁１２ａで覆われ、保持部１１ｄから脱抜することはない。
【００２６】
このような回転体１８および保持部１１１ｄは簡素な構造をしており、大きな占有面積を必要としない。また、カードコネクタ１０への取り付けは簡便にできる。このため、本実施形態の回転体１８等はカードコネクタの小型化および低背化に適合したものになる。
【００２７】
上記回転体１８の変形例としては種々の態様がある。その他例として図４を参照して説明する。この変形例では、回転体１８ａはその外周面１８１ａが球状になる。この回転体１８ａは球体であってもよいし中空構造になっていても構わない。図４に示すように、球状の回転体１８ａは、図３で説明したのと同じように、ベース部材１１の左側壁１１ｄに形成された保持部１１１ｄ内で回転できるように取り付けられる。すなわち、図４（ｂ）に示すように、開口部１１３ｄ、内周面１１４ｄおよび底面１１５ｄを有する保持部１１１ｄ内に球状の回転体１８ａが挿入されている。そして、開口部１１３ｄから、回転体１８における外周面１８１ａの一部が左側壁１１ｄの内側面よりもカード挿抜口１５側に突き出るようになる。
【００２８】
そして、このような回転体１８ａでは、カード１００のカード左側辺１００ｄが開口部１１３ｄから露出した回転体１８ａの外周面１８１ａに当接し、それと共に回転体１８ａは保持部１１１ｄ内で回転する。ここで、回転体１８ａは、一定の回転軸を中心に回る必要がなく、種々の偏心回転を起こすものであって構わない。この回転体１８ａは、図３で説明したのと同様にカードコネクタの組み立ての最終段階において、保持部１１１ｄにその上方から挿入される。そして、コネクタ本体のベース部材１１にカバー部材１２が重ね合され組合わされて回転体１８ａが取り付けられたカードコネクタになる。なお、回転体１８ａの外周面１８１ａを球状にすることで、ベース部材１１の保持部１１１またはカバー部材１１に対し、点で当接するため摩擦抵抗が小さく、回転体の回転はより円滑なものになる。
【００２９】
その他に、回転体１８はその変形例として円筒状の構造になっていてもよく、楕円体状、卵型状、円錐状、鼓状等になっていても構わない。以上は、回転体１８の外周面１８１が曲面となる場合であるが、外周面１８１が小さな凹凸状になっていても構わない。例えば多角柱状、歯車状に形成されていてもよい。いずれにしても、保持部１１１ｄに保持される回転体がカード１００のカード左側辺１００ｄに当接すると回転するようになっていればよい。
【００３０】
また、回転体１８，１８ａ等が滑合する保持部１１１ｄにも種々の変形例が考えられる。例えば、図３および図４で説明した保持部１１１ｄの上部が塞がれるような構造になっていてもよい。球状の回転体１８ａの場合には、保持部１１１ｄはその内壁が球面状を有するような構造になっていても構わない。いずれにしても、保持部１１１ｄは、その内壁が回転体の外周面との間で滑合するようになっていると好適である。
【００３１】
このような回転体および保持部の変形例の場合も簡素な構造にできる。そして、その占有面積は小さいものになり、しかもカードコネクタ１０への取り付けは簡便になる。
【００３２】
次に、上記カードコネクタ１０におけるカード排出の動作と回転体の作用効果について図５を参照して説明する。はじめに、プッシュイン・プッシュアウトタイプのイジェクト機構１７の要部について説明を加える。図５（ａ）に示すように、コネクタハウジング１３内の右側壁の領域であるベース部材１１の右側壁１１ｃの内側面に沿って滑動可能に装着されるカードプッシュ部材１７ａ、その中間部に取り付けられカード１００の受圧斜面１００ａを加圧する加圧斜面１７ｂを備える。また、カードプッシュ部材１７ａを弾性付勢するバネ部材１７ｃを備えている。そして、カードプッシュ部材１７ａを所定位置で錠止できるカム要素を構成するハート形カム１７ｄ、ハート形カム１７ｄを取り囲んで設けられたカム要素を構成するカム溝１７ｅ、そしてカム溝１７ｅに滑合する揺動アーム１７ｆ等を有する。
【００３３】
ここで、バネ部材１７ｃは、その一端がース部材１１の右側壁１１ｃの内側面に設けられたバネ受け突起（図示せず）に外挿され、その他端がカードプッシュ部材１７ａに取り付けられてその位置決めがなされる。また、揺動アーム１７ｆは、カードプッシュ部材１７ａの所定箇所にその基端が回動可に支承され、その自由端がカム溝１７ｅに係合する。揺動アーム１７ｆがカードプッシュ部材１７ａを案内し、その挿入方向あるいは排出方向の移動の切り替え、そしてカードプッシュ部材１７ａの錠止等を行う。そして、カードプッシュ部材１７ａは、バネ部材１７ｃ、そしてカム要素により適正に案内されカード挿抜方向に直線往復動できるようになっている。
【００３４】
図５は、イジェクト機構１７においてカードプッシュ部材１７ａの錠止が解除され、カード１００がその装着の位置からその脱着へと排出されるカード排出の一過程を示している。ここで、カードプッシュ部材１７ａの錠止の解除はカード１００のカード後端１００ｂが作業者によりプッシュ操作されることによってなされる。なお、カード１００の装着状態では、そのカード前端１００ｃはベース部材１１の前壁１１ｂの内側面に接近し、カード１００の下面の電極パッド（図示せず）が上述したコンタクト１６の接触条片部１６ａと接続している。
【００３５】
このカード排出の一過程では、カードプッシュ部材１７は、バネ部材１７ｃの弾発力によりカード排出方向Ｍ１に直線運動する。ここで、その加圧斜面１７ｂがカード１００の受圧斜面１００ａを加圧する。そして、カードプッシュ部材１７がベース部材１１の右側壁１１ｃの後端に設けられているストッパー１１２ｃにより運動停止するまでカード排出され、カード後端１００ｂは所定位置に引き出される。
【００３６】
上記カード排出の過程では、図５（ｂ）に示すように、カード１００は上述したバネ部材１７ｃの弾発力を原動力にしてカード排出方向Ｍ１に力を受ける。ここで、カード１００がコネクタハウジング１３内でベース部材１１の左側壁１１ｄ以外から受ける力を分解して、排出方向に平行になる平行力Ｆ１と排出方向に垂直になる垂直力Ｆ２とする。平行力Ｆ１は受圧斜面１００ａがカードプッシュ部材１７ａの加圧斜面１７ｂから受ける弾発力に、ベース部材１１およびカバー部材１２との摺接で生じる摩擦抵抗を減算した値である。
【００３７】
これに対し、垂直力Ｆ２は平行力Ｆ１に較べて小さな値であるが、イジェクト機構１７が配置されている片側から非対称的に生じてくるもので、主に右側壁１１ｃからの抗力である。この抗力は、図５（ａ）の構造では特にストッパー１１２ｃの側壁からカード右側辺１００ｅに作用するものであり、加圧斜面１７ｂと受圧斜面１００ａとの間で斜め方向に生じ受圧斜面１００ａが受ける摩擦抵抗に起因したものである。
【００３８】
上記垂直力Ｆ２により、カード１００はベース部材１１の左側壁１１ｄ側に動かされ、カード左側辺１００ｄが左側壁１１ｄと接し易くなる。ここで、左側壁１１ｄに回転体１８が取り付けられていると、カード左側辺１００ｄは開口部１１３ｄから露出している回転体１８の外側面１８１に接するようになる。そして、外側面１８１はカード左側辺１００ｄに垂直力Ｆ２と同じ大きさの抗力Ｒを及ぼすと共に、回転体１８は保持部１１１ｄ内で回転方向Ｍ２に回転する。この回転体１８の回転により、カード左側辺１００ｄのベース部材１１の左側壁１１ｄへの引っ掛かりが防止される。
【００３９】
上記垂直力Ｆ２は、受圧斜面１００ａの表面粗さや、カード排出の起動となる作業者のプッシュ操作における押圧の仕方によっても変わってくる。また、カードおよびカードコネクタの設計寸法に対する公差によるガタツキにも依存する。このような不確定な要因があっても、上述した回転体１８は、イジェクト機構１７を用いたカード１００の排出を円滑で安定したものにする。このような効果は、カード左側辺１００ｄの表面粗さが大きくなるほど顕著に現れる。
【００４０】
なお、カード１００のカード収容空間１４への挿入は、作業者によるカード後端１００ｂのプッシュ操作により、バネ部材１７ｃの弾発力に抗して、カード１００の受圧斜面１００ａが加圧斜面１７ｂを押圧することによりなされる。そして、カードプッシュ部材１７ａは揺動アーム１７ｆにより挿入方向に案内されハート形カムにより錠止される。そして、カード１００はカードコネクタ１０に装着される。ここで、カード検知機構を構成している図５（ａ）に示すようなスイッチバネ片１９がスイッチ対向片２０に接続する。そして、スイッチ端子部２１から回路基板を介して機器がカード１００の装着あるいは挿入を検出する。
【００４１】
上記実施形態では、回転体１８あるいはその変形例の回転体は固定した回転軸を持たない場合について説明している。それ以外にも、例えば保持部１１１ｄの底面１１５ｄに固定された回転中心軸を有し、この中心軸の回りを回転する構造になる回転体であってもよい。この場合は、回転体の回転軸が一定になることから、実施形態の場合に較べて回転体の回転はより円滑なものになる。
【００４２】
更には、回転体は、その一点を支点として回転するコマの構造になっていても構わない。あるいは、ベース部材１１の左側壁１１ｄにおいてカード挿抜方向に沿って所定の長さに設けられた溝状の保持部内をコロとして転動する構造になっていてもよい。この場合は、保持部の開口部がスリット状に形成され、１個又は複数個のコロとして転動する回転体はスリット状の開口部においてカード１００のカード左側辺１００ｄとの摺接により転動するようになる。いずれにしても、回転体はカードの側辺面により回転してカードとコネクタハウジングの側壁との摩擦抵抗を軽減する構造になっていればよい。
【００４３】
本実施形態のカードコネクタでは、カード収容空間およびそれに連通するカード挿抜口がコネクタハウジングに設けられ、コネクタハウジングの一側壁あるいは該一側壁とカード収容空間との間にカードイジェクト機構が配置される。そして、カード収容空間を挟んで上記一側壁に対向するコネクタハウジングの他側壁に回転体が取り付けられる。この回転体は、カードイジェクト機構によりカードがカード収容空間から排出される際に、カードの側辺に接触し回転することにより、カードのコネクタハウジングの他側壁との摩擦抵抗を低減する。
【００４４】
このために、本実施形態では、カード排出においてカードがコネクタハウジングの側壁に引っ掛かることが防止できる。そして、カード収容空間からのカードの排出が円滑にできるようになる。この効果は、カードの薄型化、小型化あるいはカード端面の相対的な粗面化があっても奏される。また、カードあるいはカードコネクタにおける設計寸法に対する形状公差によるガタツキが相対的に大きくなっても上記効果は安定して生じる。
【００４５】
また、コネクタハウジングの他側壁に回転体を取り付けることは極めて簡便であり、しかもその取り付けに大きな領域を要しない。このため、カードコネクタの小型化あるいは低背化に適合すると共にその低コスト化が容易になる。
【００４６】
（第２の実施形態）
次に、第２の実施形態にかかるカードコネクタについて図６を参照して説明する。ここで、カードコネクタはカバー部材を取り外した状態になっている。本実施形態では、イジェクト機構がイジェクトレバータイプとなる場合を例にして説明される。
【００４７】
第１の実施形態で説明したのと同様にして、コネクタ本体のベース部材３１はカバー部材（図示せず）と共にコネクタハウジングを構成する。そして、コネクタハウジング内にカード収容空間３４が形成され、カード収容空間３４の後端がカード挿抜口３５として開放される。この場合も、ベース部材３１は、例えば加工性に優れた絶縁性の合成樹脂材料により作られ、上方開放された底壁３１ａ、前壁３１ｂ、右側壁３１ｃおよび左側壁３１ｄを有する筐体構造になっている。
【００４８】
そして、カード収容空間３４内に配列、固設されている弾性金属条片からなる所要数（図では６個）のコンタクト３６が、ベース部材３１の底壁３１ａに２列に設けられている。コンタクト３６は、その接触条片部３６ａがカード収容空間３４に装着されるカードの電極パッドに加圧接触し、その端子部３６ｂが回路基板に接続する。
【００４９】
また、ベース部材３１では、カード挿抜口３５からカード収容空間３４をみてコネクタハウジング右側に位置する右側壁３１ｃに沿ってイジェクト機構３７が設けられている。このイジェクト機構３７はいわゆるイジェクトレバータイプである。イジェクト機構３７は、カードをカード収容空間３４から引き出す金属製のイジェクトレバー３７ａ、イジェクトレバー３７ａを前方に付勢する圧縮コイルバネ３７ｂ、圧縮コイルバネ３７ｂをイジェクトレバー３７ａに保持する筒状抜け防止部材３７ｃを備える。ここで、イジェクトレバー３７ａ、圧縮コイルバネ３７ｂおよび筒状抜け防止部材３７ｃは、ベース部材１１の右側壁３１ｃに設けられた溝内に取り付けられるようになっている。
【００５０】
イジェクトレバー３７ａは、その前端部が例えばＬ字状に曲がってカードの前端に当接しカードを引き出すアーム部３７１ａ、圧縮コイルバネ３７ｂが外挿されるバネ受け軸部３７２ａ、スライド部３７３ａおよび操作部３７４ａを含んでいる。ここで、一対のガイド壁３１１ｃおよび３１２ｃのガイド前端部３１３ｃがイジェクトレバー３７ａの引き出し操作におけるストッパーとして機能する。圧縮コイルバネ３７ｂは、イジェクトレバー３７ａの先端に取り付けられている筒状抜け防止部材３７ｃとガイド前端部３１３ｃの間で弾性伸縮する。そして、常時、イジェクトレバー３７ａをカード収容空間３４内の前方に付勢する。
【００５１】
カード収容空間３４に装着されているカードの排出は、作業者がイジェクトレバー３７ａの操作部３７４ａを掴み、圧縮コイルバネ３７ｂの弾発力に抗し後方に引き出すことによりなされる。ここで、イジェクトレバー３７ａのアーム部３７１ａは、装着されているカード前端に当接し、カードを装着位置から後方に移動させる。そして、イジェクトレバー３７ａを所定位置まで引き出した後、カードはその後端が作業者により摘ままれ後方に取外される。このカードの取外しの後は、イジェクトレバー３７ａは圧縮コイルバネ３７ａの付勢により自動的に当初位置に戻る。
【００５２】
なお、カードの挿入は、その後端を押圧する手差しによりカード挿抜口３５から行われる。このカード挿入の時には、イジェクト機構３７のイジェクトレバー３７ａは当初位置にある。ここで、カードの前端がベース部材３１における前壁３１ｂの内側面に当接するまで手差し挿入されることで、カードはカード収容空間３４に収容され、その装着は完了する。
【００５３】
そして、ベース部材３１の左側壁３１ｄにおいて、カードの排出方向に沿い第１の回転体３８と第２の回転体３９が回転可能に取り付けられている。これ等の回転体３８，３９は、第１の実施形態で説明したような形状をしている。また、これ等の回転体３８，３９は、左側壁３１ｄの所定箇所に設けられている第１の保持部３１１ｄおよび第２の保持部３１２ｄにそれぞれ埋め込まれるように取り付けられる。図６では、第１の回転体３８は左側壁３１ｄの後端部に配置され、第２の回転体３９はカード収容空間３４の前方に位置するところに配置されている。そして、カード側辺が第１の回転体３８あるいは第２の回転体３９の外周面に当接すると、それぞれの保持部内で回転するようになる。
【００５４】
イジェクト機構３７を用いたカード排出では、上述したように作業者がイジェクトレバー３７ａの操作部３７４ａを掴み引き出す操作によりなされる。ここで、作業者の引き出す方向あるいは引き出す力は常に一定なものでない。作業者、作業時等により変わり、カード排出の形態は種々に異なる。そこで、本実施形態のように２箇所に回転体を取り付けることにより、カード排出の形態が種々に異なってくる場合でも、円滑で安定したカード排出ができるようになる。
【００５５】
上記第１の回転体３８および第２の回転体３９には第１の実施形態の変形例で説明したような種々の態様がある。また、第１の保持部３１１ｄおよび第２の保持部３１２ｄも第１の実施形態の変形例で説明したような種々の態様がある。そして、第１の回転体３８および第２の回転体３９、あるいは第１の保持部３１１ｄおよび第２の保持部３１２ｄは、それぞれ同じ構造になってよいし、互いに異なる構造になってもよい。
【００５６】
このような回転体およびその保持部は、カード収容空間３４からカード挿抜口３５の方向に排出されるカードの排出方向において、３個以上に取り付けられてもよい。これ等の複数の回転体およびその保持部が配置される位置は適宜に決められる。
【００５７】
本実施形態では、第１の実施形態と同一の効果が生じる。そして、この効果は、カードの薄型化、小型化、カード端面の粗面化あるいは形状公差によるガタツキ等が第１の実施形態の場合より大きくなっても奏される。また、カード排出の操作が第１の実施形態の場合より粗雑で少々乱暴になされても、円滑で安定したカードの排出が可能である。
【００５８】
以上、本発明の好適な実施形態について説明したが、上述した実施形態は本発明を限定するものでない。当業者にあっては、具体的な実施態様において本発明の技術思想および技術範囲から逸脱せずに種々の変形・変更を加えることが可能である。
【００５９】
例えば、カバー部材は金属材料以外に加工性を有する絶縁性材料から成ってもよい。そして、実施形態においてカードコネクタにカード誤挿入防止機構がカード挿抜口等に設けられていても構わない。
【００６０】
また、コネクタハウジングはベース部材とカバー部材が重ね合されたものでなく、例えば絶縁性材料から一体成形されたものであってもよい。
【００６１】
また、カードイジェクト機構と回転体は、コネクタハウジング内において実施形態で説明したのとは逆配置されるようになっていてもよい。
【００６２】
また、カードイジェクト機構は本実施形態で説明したもの以外の種々の態様であっても構わない。いずれにしても、カード収容空間に装着されるカードをコネクタハウジングの片側からカード挿抜口へと排出する構造になっているものであればよい。
【００６３】
また、回転体はコネクタハウジングの側壁に埋め込まれるように取り付けられるのでなくてもよい。この回転体は、本実施形態で説明したようなベース部材の左側壁と少し離間したベース部材の底壁に取り付けられる構造になっていてもよい。あるいは、カード収容空間への装着状態にある場合のカードの後端よりもカード挿抜口側になるカードコネクタの所定箇所に、回転体が取り付けられるようになっていてもよい。
【００６４】
最後に、本発明は、小型化あるいは低背化されないカードコネクタにも同様に適用されることに言及しておく。
【符号の説明】
【００６５】
１０…カードコネクタ、１１，３１…ベース部材、１１ａ，３１ａ…底壁、１１ｂ，３１ｂ…前壁、１１ｃ，３１ｃ…右側壁（第１の側壁）、１１１ｃ…固定突起部、１１２ｃ…ストッパー、１１ｄ，３１ｄ…左側壁（第２の側壁）、１１１ｄ…保持部、１１２ｄ…内側面、１１３ｄ…開口部、１１４ｄ…内周面、１１５ｄ…底面、１２…カバー部材、１２ａ…上壁、１２１ａ…窓部、１２２ａ…カード押え片、１２３ａ…プッシュ部材押え片、１２４ａ…アーム押え片、１２ｂ…前壁、１２ｃ…右側壁、１２１ｃ…固定穴部、１２２ｃ…脚部、１２ｄ…左側壁、１３…コネクタハウジング、１４，３４…カード収容空間、１５，３５…カード挿抜口、１６，３６…コンタクト、１６ａ，３６ａ…接触条片部、１６ｂ，３６ｂ…端子部、１７，３７…イジェクト機構、１７ａ…カードプッシュ部材、１７ｂ…加圧斜面、１７ｃ…バネ部材、１７ｄ…ハート形カム、１７ｅ…カム溝、１７ｆ…搖動アーム、１８，１８ａ…回転体、１８１，１８１ａ…外周面、１８２…上面、１８３…下面、１８４…面取り部、１９…スイッチバネ片、２０…スイッチ対向片、２１…スイッチ端子部、３１１ｃ，３１２ｃ…ガイド壁、３１３ｃ…ガイド前端部、３１１ｄ…第１の保持部、３１２ｄ…第２の保持部、３７ａ…イジェクトレバー、３７１ａ…アーム部、３７２ａ…バネ受け軸部、３７３ａ…スライド部、３７４ａ…操作部、３７ｂ…圧縮コイルバネ、３７ｃ…筒状抜け防止部材、３８…第１の回転体、３９…第２の回転体、１００…カード、１００ａ…受圧斜面、１００ｂ…カード後端、１００ｃ…カード前端、１００ｄ…カード左側辺、１００ｅ…カード右側辺
【図１】
2013125323.tif 000003
【図２】
2013125323.tif 000004
【図３】
2013125323.tif 000005
【図４】
2013125323.tif 000006
【図５】
2013125323.tif 000007
【図６】
2013125323.tif 000008